Podtech/llm-jp-corpus-v4-ja_patent huggingface dataset:
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
互いに無線通信可能な複数の携帯型の情報処理装置を含む情報処理システムに用いられる情報処理装置であって、
自機を識別させるための自機識別情報と、自機が読み取り可能な記憶媒体に記憶された所定のプログラムを識別させるためのプログラム識別情報とを、他の情報処理装置と接続を確立する前に当該他の情報処理装置に送信する送信手段、
通信可能範囲に存在する他の情報処理装置から送信された情報を、当該他の情報処理装置と接続を確立する前に受信する受信手段、
前記受信手段で受信した情報に基づいて、通信可能範囲に存在する接続を確立する前の他の情報処理装置を識別させるための情報と、当該他の情報処理装置が読み取り可能な記憶媒体に記憶された所定のプログラムを識別させるための情報とを含む表示をおこなう表示制御手段、
前記表示制御手段によって表示される、接続を確立する前の情報処理装置のうちいずれか１つをユーザに選択させるための選択手段、および
前記選択手段によって選択された情報処理装置と接続を確立するための接続処理を行う接続手段を備える、情報処理装置。
【請求項２】
互いに無線通信可能な複数の携帯型の情報処理装置を含む情報処理システムに用いられる情報処理装置のコンピュータを、
自機を識別させるための自機識別情報と、自機が読み取り可能な記憶媒体に記憶された所定のプログラムを識別させるためのプログラム識別情報とを、他の情報処理装置と接続を確立する前に当該他の情報処理装置に送信する送信手段、
通信可能範囲に存在する他の情報処理装置から送信された情報を、当該他の情報処理装置と接続を確立する前に受信する受信手段、
前記受信手段で受信した情報に基づいて、通信可能範囲に存在する接続を確立する前の他の情報処理装置を識別させるための情報と、当該他の情報処理装置で起動している所定のプログラムを識別させるための情報とを含む表示をおこなう表示制御手段、
前記表示制御手段によって表示される、接続を確立する前の情報処理装置のうちいずれか１つをユーザに選択させるための選択手段、および
前記選択手段によって選択された情報処理装置と接続を確立するための接続処理を行う接続手段として機能させる、情報処理プログラム。
【請求項３】
互いに無線通信可能な複数の携帯型の情報処理装置を含む情報処理システムであって、前記情報処理システムは第１情報処理装置と第２情報処理装置とを含み、
前記第１情報処理装置は、
自機を識別させるための自機識別情報と、自機が読み取り可能な記憶媒体に記憶された所定のプログラムを識別させるためのプログラム識別情報とを、他の情報処理装置と接続を確立する前に当該他の情報処理装置に送信する送信手段を有し、
前記第２情報処理装置は、
通信可能範囲に存在する他の情報処理装置から送信された情報を、当該他の情報処理装置と接続を確立する前に受信する受信手段と、
前記受信手段で受信した情報に基づいて、通信可能範囲に存在する接続を確立する前の他の情報処理装置を識別させるための情報と、当該他の情報処理装置が読み取り可能な記憶媒体に記憶された所定のプログラムを識別させるための情報とを含む表示をおこなう表示制御手段と、
前記表示制御手段によって表示される、接続を確立する前の情報処理装置のうちいずれか１つをユーザに選択させるための選択手段と、
前記選択手段によって選択された情報処理装置と接続を確立するための接続処理を行う接続手段とを有する、システム。
【請求項４】
互いに無線通信可能な複数の携帯型の情報処理装置を含む情報処理システムにおいて行われる情報処理方法であって、前記情報処理システムは第１情報処理装置と第２情報処理装置とを含み、
前記第１情報処理装置において、
自機を識別させるための自機識別情報と、自機が読み取り可能な記憶媒体に記憶された所定のプログラムを識別させるためのプログラム識別情報とを、他の情報処理装置と接続を確立する前に当該他の情報処理装置に送信するステップを実行し、
前記第２情報処理装置において、
通信可能範囲に存在する他の情報処理装置から送信された情報を、当該他の情報処理装置と接続を確立する前に受信する受信ステップと、
前記受信ステップで受信した情報に基づいて、通信可能範囲に存在する接続を確立する前の他の情報処理装置を識別させるための情報と、当該他の情報処理装置が読み取り可能な記憶媒体に記憶された所定のプログラムを識別させるための情報とを含む表示をおこなう表示ステップと、
前記表示ステップにおいて表示される、接続を確立する前の情報処理装置のうちいずれか１つをユーザに選択させるための選択ステップと、
前記選択ステップにおいて選択された情報処理装置と接続を確立するための接続処理を行う接続ステップとを実行する、情報処理方法。
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
野生型エシェリキア属微生物のＬ−トリプトファンの産生能と比較してＬ−トリプトファンの産生能が強化された組換えエシェリキア属微生物であって、
該組換えエシェリキア属微生物は染色体のトリプトファンオペロンにおいて配列番号１に示される塩基配列を含む発現調節部位のうち配列番号２に示される塩基配列の全体又は一部が欠損するように変形されたものであり、
該組換えエシェリキア属微生物は野生型エシェリキア属微生物と比較してトリプトファンオペロン遺伝子の発現を増大させるためにトリプトファンオペロンの遺伝子であるｔｒｐＤ、ｔｒｐＣ、ｔｒｐＢ、及びｔｒｐＡが形質転換されたものであり、及び
該組換えエシェリキア属微生物は野生型エシェリキア属微生物と比較してｔｒｐＥ遺伝子の発現が増大されていないものであるか若しくはｔｒｐＥ遺伝子によってコードされるアントラニル酸塩合成酵素の活性が増大されてないものである、組換えエシェリキア属微生物。
【請求項２】
組換えエシェリキア属微生物は染色体のトリプトファンオペロンにおいて、配列番号１の塩基配列を含む発現調節部位のうち配列番号３に示される塩基配列の全体又は一部が欠損するようにさらに変形されたものである、請求項１に記載の組換えエシェリキア属微生物。
【請求項３】
ｔｒｐＤ遺伝子が配列番号３７に示されるアミノ酸配列を含むポリペプチドをコードし、ｔｒｐＣ遺伝子が配列番号３８に示されるアミノ酸配列を含むポリペプチドをコードし、ｔｒｐＢ遺伝子が配列番号３９に示されるアミノ酸配列を含むポリペプチドをコードし、及び
ｔｒｐＡ遺伝子が配列番号４０に示されるアミノ酸配列を含むポリペプチドをコードする、請求項１又は２に記載の組換えエシェリキア属微生物。
【請求項４】
組換えエシェリキア属微生物が大腸菌である、請求項１〜３のいずれか１項に記載の組換えエシェリキア属微生物。
【請求項５】
Ｌ−トリプトファン産生に適した条件下で請求項１に記載の組換えエシェリキア属微生物を培養する工程を含む、Ｌ−トリプトファンの産生方法。
【請求項６】
組換えエシェリキア属微生物は、染色体のトリプトファンオペロンにおいて、配列番号１の塩基配列を含む発現調節部位のうち配列番号３に示される塩基配列の全体又は一部が欠損するようにさらに変形されたものである、請求項５に記載のＬ−トリプトファンの産生方法。
【請求項７】
組換えエシェリキア属微生物が大腸菌である、請求項５又は６に記載のＬ−トリプトファンの産生方法。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を実行可能な抽選手段と、
前記抽選手段による抽選結果に基づいて演出表示を実行可能な演出表示実行手段と、
前記抽選手段による抽選結果を示唆する示唆演出を実行可能な可動役物と、を備え、
前記可動役物は、
初期位置と、当該可動役物の一部が視認不能な第１位置と、前記第１位置において前記視認不能な部分の少なくとも一部が視認可能となる第２位置と、に動作可能に構成され、
前記示唆演出は、
前記第１位置へ動作した前記可動役物を初期位置に動作し終了する第１示唆演出と、
前記第２位置へ動作した前記可動役物を初期位置に動作し終了する第２示唆演出と、を含み、
前記第１示唆演出と前記第２示唆演出とのいずれが実行される場合においても、前記可動役物は前記第１位置まで動作される
ことを特徴とする遊技機。
【手続補正２】
【補正対象書類名】明細書
【補正対象項目名】０００３
【補正方法】変更
【補正の内容】
【０００３】
このような遊技機において、役物を動作させることによって大当り図柄が導出表示されるかを遊技者に示唆する演出を実行可能な遊技機が提供されている（特許文献１、特許文献２）。
【手続補正３】
【補正対象書類名】明細書
【補正対象項目名】０００４
【補正方法】変更
【補正の内容】
【０００４】
【特許文献１】特開２００９−１１２８６２号公報
【特許文献２】特開２００９−２０７７０３号公報
【手続補正４】
【補正対象書類名】明細書
【補正対象項目名】０００５
【補正方法】変更
【補正の内容】
【０００５】
上記遊技機では、マンネリ化を招き、大当り遊技状態に対する期待を一層向上させることが難しかった。
【手続補正５】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記目的を達成するために、請求項１の発明においては、始動条件の成立に基づいて抽選を実行可能な抽選手段と、前記抽選手段による抽選結果に基づいて演出表示を実行可能な演出表示実行手段と、前記抽選手段による抽選結果を示唆する示唆演出を実行可能な可動役物と、を備え、前記可動役物は、初期位置と、当該可動役物の一部が視認不能な第１位置と、前記第１位置において前記視認不能な部分の少なくとも一部が視認可能となる第２位置と、に動作可能に構成され、前記示唆演出は、前記第１位置へ動作した前記可動役物を初期位置に動作し終了する第１示唆演出と、前記第２位置へ動作した前記可動役物を初期位置に動作し終了する第２示唆演出と、を含み、前記第１示唆演出と前記第２示唆演出とのいずれが実行される場合においても、前記可動役物は前記第１位置まで動作される
ことを特徴とする。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
第１制御を行うための第１制御プログラムを記憶する第１制御領域と、
前記第１制御領域とは異なる領域であって、第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、
前記制御装置が、該制御装置の外部の装置にデータの出力を行うものであって、前記第２制御において更新され、前記第１制御においては更新されない第２出力ポートと、
遊技に用いられる遊技媒体の払い出しを検知する払出検知手段と、
前記遊技媒体を払い出すために駆動する払出駆動手段と、
前記払い出しに用いられる遊技媒体を収納するホッパーと、
を備え、
前記第１制御領域は、前記払出駆動手段が駆動しているにもかかわらず前記払出検知手段による遊技媒体の検知が所定期間ないと判定された場合に、前記払出駆動手段の駆動を停止させるとともに前記ホッパー内の遊技媒体が空であると判定する払出動作停止処理を構成する前記第１制御プログラムを記憶し、
前記第２制御領域は、前記払出動作停止処理以外の処理であって前記払出検知手段による検知結果に基づく前記遊技媒体の払い出しに関する異常を検出するための処理の少なくとも一部を構成する前記第２制御プログラムを記憶する
ことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、第１制御を行うための第１制御プログラムを記憶する第１制御領域と、前記第１制御領域とは異なる領域であって、第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、前記制御装置が、該制御装置の外部の装置にデータの出力を行うものであって、前記第２制御において更新され、前記第１制御においては更新されない第２出力ポートと、遊技に用いられる遊技媒体の払い出しを検知する払出検知手段と、前記遊技媒体を払い出すために駆動する払出駆動手段と、前記払い出しに用いられる遊技媒体を収納するホッパーと、を備え、
前記第１制御領域は、前記払出駆動手段が駆動しているにもかかわらず前記払出検知手段による遊技媒体の検知が所定期間ないと判定された場合に、前記払出駆動手段の駆動を停止させるとともに前記ホッパー内の遊技媒体が空であると判定する払出動作停止処理を構成する前記第１制御プログラムを記憶し、前記第２制御領域は、前記払出動作停止処理以外の処理であって前記払出検知手段による検知結果に基づく前記遊技媒体の払い出しに関する異常を検出するための処理の少なくとも一部を構成する前記第２制御プログラムを記憶することを特徴とする。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
前記遊技に応じた演出を制御する副制御手段と、を備える遊技機であって、
前記主制御手段は、
遊技の進行を司る第１制御を行うための第１制御プログラムを記憶する第１制御領域と、
前記第１制御領域とは異なる領域であって、前記第１制御とは異なる第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、
前記制御装置が、該制御装置の外部の装置にデータの出力を行うものであって、前記第２制御において更新され、前記第１制御においては更新されない第２出力ポートと、
前記制御装置が、該制御装置の外部の装置からデータの入力を行うものであって、前記第１制御において参照され、前記第２制御においては参照されない入力ポートと、
前記第１制御領域および前記第２制御領域を有する単一の制御領域記憶手段と、
前記第１ＲＷＭ領域および前記第２ＲＷＭ領域を有する単一のＲＷＭ領域記憶手段と、
を備えたことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、遊技の進行を制御する主制御手段と、前記遊技に応じた演出を制御する副制御手段と、を備える遊技機であって、
前記主制御手段は、遊技の進行を司る第１制御を行うための第１制御プログラムを記憶する第１制御領域と、前記第１制御領域とは異なる領域であって、前記第１制御とは異なる第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御領域、前記第２制御領域、前記第１ＲＷＭ領域および前記第２ＲＷＭ領域を有する制御装置が、該制御装置の外部の装置にデータの出力を行うものであって、前記第１制御において更新され、前記第２制御においては更新されない第１出力ポートと、前記制御装置が、該制御装置の外部の装置にデータの出力を行うものであって、前記第２制御において更新され、前記第１制御においては更新されない第２出力ポートと、前記制御装置が、該制御装置の外部の装置からデータの入力を行うものであって、前記第１制御において参照され、前記第２制御においては参照されない入力ポートと、前記第１制御領域および前記第２制御領域を有する単一の制御領域記憶手段と、前記第１ＲＷＭ領域および前記第２ＲＷＭ領域を有する単一のＲＷＭ領域記憶手段と、を備えたことを特徴とする。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
第１制御を行うための第１制御プログラムを記憶する第１制御領域と、
前記第１制御領域とは異なる領域であって、第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御領域、前記第２制御領域、前記第１ＲＷＭ領域および前記第２ＲＷＭ領域を有する制御装置が、該制御装置の外部の装置からデータの入力を行うものであって、前記第１制御において参照され、かつ、前記第２制御においても参照される入力ポートと、
前記第１制御において更新され、前記第２制御においては更新されない第１出力ポートと、
前記第２制御において更新され、前記第１制御においては更新されない第２出力ポートと、
前記第１制御領域および前記第２制御領域を有する単一の制御領域記憶手段と、
前記第１ＲＷＭ領域および前記第２ＲＷＭ領域を有する単一のＲＷＭ領域記憶手段と、
を備え、
前記第２制御領域は、前記第１制御プログラムに呼び出されることにより実行され、終了後に前記第１制御プログラムに復帰させる前記第２制御プログラムを記憶し、
前記第１制御領域は、前記第２制御プログラムを呼び出すことにより処理を中断し、前記第２制御プログラムからの復帰により処理を再開する前記第１制御プログラムを記憶する
ことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、第１制御を行うための第１制御プログラムを記憶する第１制御領域と、前記第１制御領域とは異なる領域であって、第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御領域、前記第２制御領域、前記第１ＲＷＭ領域および前記第２ＲＷＭ領域を有する制御装置が、該制御装置の外部の装置からデータの入力を行うものであって、前記第１制御において参照され、かつ、前記第２制御においても参照される入力ポートと、前記第１制御において更新され、前記第２制御においては更新されない第１出力ポートと、前記第２制御において更新され、前記第１制御においては更新されない第２出力ポートと、前記第１制御領域および前記第２制御領域を有する単一の制御領域記憶手段と、前記第１ＲＷＭ領域および前記第２ＲＷＭ領域を有する単一のＲＷＭ領域記憶手段と、を備え、
前記第２制御領域は、前記第１制御プログラムに呼び出されることにより実行され、終了後に前記第１制御プログラムに復帰させる前記第２制御プログラムを記憶し、前記第１制御領域は、前記第２制御プログラムを呼び出すことにより処理を中断し、前記第２制御プログラムからの復帰により処理を再開する前記第１制御プログラムを記憶することを特徴とする。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
第１制御を行うための第１制御プログラムを記憶する第１制御領域と、
前記第１制御領域とは異なる領域であって、第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御領域、前記第２制御領域、前記第１ＲＷＭ領域および前記第２ＲＷＭ領域を有する制御装置が、該制御装置の外部の装置にデータの出力を行う出力ポートと、
前記第１制御および前記第２制御において演算処理を行う際にデータを記憶するレジスタと、
前記第１制御領域および前記第２制御領域を有する単一の制御領域記憶手段と、
前記第１ＲＷＭ領域および前記第２ＲＷＭ領域を有する単一のＲＷＭ領域記憶手段と、
を備え、
前記出力ポートは、
前記第１制御において更新され、前記第２制御においては更新されない第１出力ポートと、
前記第２制御において更新され、前記第１制御においては更新されない第２出力ポートと、を有し、
前記第２制御領域は、前記外部の装置のうちの１つである試験装置に信号を出力するための処理の少なくとも一部を構成する前記第２制御プログラムを記憶するとともに、前記第２制御プログラムに応じた前記第２制御によって、前記試験装置に信号を出力するため、前記第２出力ポートを更新し、
前記第１制御領域または前記第２制御領域は、前記第１制御における演算処理によるデータが格納された前記レジスタの値を保護する前記第１制御プログラムまたは前記第２制御プログラムを記憶する
ことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、第１制御を行うための第１制御プログラムを記憶する第１制御領域と、前記第１制御領域とは異なる領域であって、第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御領域、前記第２制御領域、前記第１ＲＷＭ領域および前記第２ＲＷＭ領域を有する制御装置が、該制御装置の外部の装置にデータの出力を行う出力ポートと、前記第１制御および前記第２制御において演算処理を行う際にデータを記憶するレジスタと、前記第１制御領域および前記第２制御領域を有する単一の制御領域記憶手段と、前記第１ＲＷＭ領域および前記第２ＲＷＭ領域を有する単一のＲＷＭ領域記憶手段と、を備え、
前記出力ポートは、前記第１制御において更新され、前記第２制御においては更新されない第１出力ポートと、前記第２制御において更新され、前記第１制御においては更新されない第２出力ポートと、を有し、前記第２制御領域は、前記外部の装置のうちの１つである試験装置に信号を出力するための処理の少なくとも一部を構成する前記第２制御プログラムを記憶するとともに、前記第２制御プログラムに応じた前記第２制御によって、前記試験装置に信号を出力するため、前記第２出力ポートを更新し、前記第１制御領域または前記第２制御領域は、前記第１制御における演算処理によるデータが格納された前記レジスタの値を保護する前記第１制御プログラムまたは前記第２制御プログラムを記憶することを特徴とする。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
第１制御を行うための第１制御プログラムを記憶する第１制御領域と、
前記第１制御領域とは異なる領域であって、第２制御を行うための第２制御プログラムを記憶する第２制御領域と、
前記第１制御において更新および参照され、前記第２制御においては更新されない可変データを記憶する第１ＲＷＭ領域と、
前記第１ＲＷＭ領域とは異なる領域であって、前記第２制御において更新および参照され、前記第１制御においては更新されない可変データを記憶する第２ＲＷＭ領域と、
前記第１制御領域、前記第２制御領域、前記第１ＲＷＭ領域および前記第２ＲＷＭ領域を有する制御装置が、該制御装置の外部に設けられる一の外部装置からデータの入力を行うものであって、前記第１制御において参照され、前記第２制御においては参照されない入力ポートと、
前記制御装置が、前記一の外部装置とは異なる他の外部装置にデータの出力を行うものであって、前記第２制御において更新され、前記第１制御においては更新されない出力ポートと、
前記第１制御領域および前記第２制御領域を有する単一の制御領域記憶手段と、
前記第１ＲＷＭ領域および前記第２ＲＷＭ領域を有する単一のＲＷＭ領域記憶手段と、
を備え、
前記第１制御領域は、前記入力ポートの情報を前記第１ＲＷＭ領域に記憶させる前記第１制御プログラムを記憶し、
前記第２制御領域は、前記第１ＲＷＭ領域に記憶された前記入力ポートの情報を参照し、また、前記他の外部装置にデータの出力を行うために前記出力ポートを更新する前記第２制御プログラムを記憶する
ことを特徴とする遊技機。
【手続補正２】
【補正対象書類名】明細書
【補正対象項目名】００１３
【補正方法】変更
【補正の内容】
【００１３】
このような課題を解決するために、本発明に係る遊技機は、第１制御を行うための第１制御プログラムを記憶する第１制御領域と、前記第１制御領域とは異なる領域であって、第２制御を行うための第２制御プログラムを記憶する第２制御領域と、前記第１制御において更新および参照され、前記第２制御においては更新されない可変データを記憶する第１ＲＷＭ領域と、前記第１ＲＷＭ領域とは異なる領域であって、前記第２制御において更新および参照され、前記第１制御においては更新されない可変データを記憶する第２ＲＷＭ領域と、前記第１制御領域、前記第２制御領域、前記第１ＲＷＭ領域および前記第２ＲＷＭ領域を有する制御装置が、該制御装置の外部に設けられる一の外部装置からデータの入力を行うものであって、前記第１制御において参照され、前記第２制御においては参照されない入力ポートと、前記制御装置が、前記一の外部装置とは異なる他の外部装置にデータの出力を行うものであって、前記第２制御において更新され、前記第１制御においては更新されない出力ポートと、前記第１制御領域および前記第２制御領域を有する単一の制御領域記憶手段と、前記第１ＲＷＭ領域および前記第２ＲＷＭ領域を有する単一のＲＷＭ領域記憶手段と、を備え、
前記第１制御領域は、前記入力ポートの情報を前記第１ＲＷＭ領域に記憶させる前記第１制御プログラムを記憶し、前記第２制御領域は、前記第１ＲＷＭ領域に記憶された前記入力ポートの情報を参照し、また、前記他の外部装置にデータの出力を行うために前記出力ポートを更新する前記第２制御プログラムを記憶することを特徴とする。
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
印刷方法であって、
印刷システムを囲む堆積印刷環境を制御することであって、前記堆積印刷環境および前記印刷システムは、ガスエンクロージャ内に含まれる、ことと、
ガス支持を用いて基材を支持することであって、前記ガス支持は、前記ガスエンクロージャ内に含まれる前記印刷システムを囲む前記堆積印刷環境と流体連通している、ことと、
印刷ヘッドを前記基材の第１の表面に対して位置決めすることであって、前記基材の前記第１の表面は、前記ガス支持の方へ向けられている前記基材の第２の表面の反対側にある、ことと、
前記印刷ヘッドが前記基材に対して位置決めされている間に、前記基材の前記第１の表面上に膜形成材料を堆積させることと
を含む、方法。
【請求項２】
前記印刷システムを囲む前記堆積印刷環境を制御することは、ガス環境を提供することを含む、請求項１に記載の方法。
【請求項３】
前記ガス環境を提供することは、非酸化ガス環境を提供することを含む、請求項２に記載の方法。
【請求項４】
前記ガス環境を提供することは、不活性ガス環境を提供することを含む、請求項２に記載の方法。
【請求項５】
前記ガス環境を提供することは、窒素ガス環境を提供することを含む、請求項４に記載の方法。
【請求項６】
前記ガス環境を提供することは、少なくとも１つの希ガスを有する窒素ガス環境を提供することを含む、請求項４に記載の方法。
【請求項７】
前記膜形成材料の前記堆積から発生した溶媒蒸気を除去するために、前記ガス環境を排気することをさらに含む、請求項４に記載の方法。
【請求項８】
支持ガスによって提供される熱伝達によって前記基材の温度を制御することをさらに含む、請求項４に記載の方法。
【請求項９】
前記基材は、ガラス基材である、請求項１に記載の方法。
【請求項１０】
前記印刷ヘッドは、インクジェット印刷ヘッドである、請求項１に記載の方法。
【請求項１１】
前記ガス支持は、複数の加圧ガスチャネルを含む、請求項１に記載の方法。
【請求項１２】
前記ガス支持は、複数の加圧ガスチャネルおよび真空チャネルを含む、請求項１に記載の方法。
【請求項１３】
前記印刷ヘッドを前記基材の前記第１の表面に対して位置決めすることは、前記印刷ヘッドと前記基材との間の前記印刷ギャップを制御することを含む、請求項１に記載の方法。
【請求項１４】
前記印刷ギャップは、約＋／−５ミクロンの公差に制御される、請求項１３に記載の方法。
【請求項１５】
前記印刷ギャップは、約＋／−７ミクロンの公差に制御される、請求項１３に記載の方法。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
低温液体に該低温液体の蒸発ガスを直接接触させて前記低温液体に前記蒸発ガスを混合、溶解、あるいは前記蒸発ガスを液化させる気液混合器であって、
前記低温液体及び前記蒸発ガスと前記低温液体の混合流体が通流する流体流路を形成する筒状の流体流路形成部と、設置した状態で前記流体流路形成部の下部側となる部位に設けられ前記流体流路形成部に前記低温液体を供給する液体供給口と、設置した状態で前記流体流路形成部の上部側となる部位に設けられて前記流体流路形成部から流出する混合流体を排出する混合流体排出口とを有する本体部と、
前記流体流路形成部の外側に設けられて前記流体流路形成部を通流する前記低温液体に前記蒸発ガスを供給する気体供給部と、
該気体供給部に前記蒸発ガスを供給する気体供給管が接続される気体供給管接続部とを備えてなり、
前記気体供給部は、前記流体流路形成部の内部を通流する前記低温液体と気体供給部に供給された前記蒸発ガスとの間を仕切るように設けられた仕切り壁を有し、該仕切り壁は供給された前記蒸発ガスを前記低温液体に供給する気体供給孔を少なくとも１つ有してなり、
前記気体供給管接続部は、設置状態において全ての前記気体供給孔の位置よりも上方の位置に設けられ、
前記流体流路形成部は、ベンチュリ形状に形成されており、前記気体供給孔は、前記ベンチュリ形状におけるのど部よりも下流側に設けられていることを特徴とする気液混合器。
【請求項２】
前記気体供給部に、複数の気体供給管接続部が設けられていることを特徴とする請求項１に記載の気液混合器。
【請求項３】
前記気体供給管接続部は、前記気体供給管から供給された気体を周方向にまわり込ませるための空間であるベーパーベルトを備えていることを特徴とする請求項１又は２に記載の気液混合器。
【請求項４】
前記流体流路形成部を流路方向で２分割された筒状部材で形成し、該２分割された筒状部材の下側に配置される筒状部材の上端部を、上側に配置される筒状部材の下端部に挿入したことを特徴とする請求項１乃至３のいずれか一項に記載の気液混合器。
【請求項５】
前記気体供給部に供給された気体を分散する充填物を充填したことを特徴とする請求項１乃至４のいずれか一項に記載の気液混合器。
【手続補正２】
【補正対象書類名】明細書
【補正対象項目名】０００８
【補正方法】変更
【補正の内容】
【０００８】
（１）本発明に係る気液混合器は、低温液体に該低温液体の蒸発ガスを直接接触させて前記低温液体に前記蒸発ガスを混合、溶解、あるいは前記蒸発ガスを液化させる気液混合器であって、
前記低温液体及び前記蒸発ガスと前記低温液体の混合流体が通流する流体流路を形成する筒状の流体流路形成部と、設置した状態で前記流体流路形成部の下部側となる部位に設けられ前記流体流路形成部に前記低温液体を供給する液体供給口と、設置した状態で前記流体流路形成部の上部側となる部位に設けられて前記流体流路形成部から流出する混合流体を排出する混合流体排出口とを有する本体部と、
前記流体流路形成部の外側に設けられて前記流体流路形成部を通流する前記低温液体に前記蒸発ガスを供給する気体供給部と、
該気体供給部に前記蒸発ガスを供給する気体供給管が接続される気体供給管接続部とを備えてなり、
前記気体供給部は、前記流体流路形成部の内部を通流する前記低温液体と気体供給部に供給された前記蒸発ガスとの間を仕切るように設けられた仕切り壁を有し、該仕切り壁は供給された前記蒸発ガスを前記低温液体に供給する気体供給孔を少なくとも１つ有してなり、
前記気体供給管接続部は、設置状態において全ての前記気体供給孔の位置よりも上方の位置に設けられ、
前記流体流路形成部は、ベンチュリ形状に形成されており、前記気体供給孔は、前記ベンチュリ形状におけるのど部よりも下流側に設けられていることを特徴とするものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
（２）また、上記（１）に記載のものにおいて、前記気体供給部に、複数の気体供給管接続部が設けられていることを特徴とするものである。
【手続補正５】
【補正対象書類名】明細書
【補正対象項目名】００１１
【補正方法】変更
【補正の内容】
【００１１】
（３）また、上記（１）又は（２）に記載のものにおいて、前記気体供給管接続部は、前記気体供給管から供給された気体を周方向にまわり込ませるための空間であるベーパーベルトを備えていることを特徴とするものである。
【手続補正６】
【補正対象書類名】明細書
【補正対象項目名】００１２
【補正方法】変更
【補正の内容】
【００１２】
（４）また、上記（１）乃至（３）のいずれかに記載のものにおいて、前記流体流路形成部を流路方向で２分割された筒状部材で形成し、該２分割された筒状部材の下側に配置される筒状部材の上端部を、上側に配置される筒状部材の下端部に挿入したことを特徴とするものである。
【手続補正７】
【補正対象書類名】明細書
【補正対象項目名】００１３
【補正方法】変更
【補正の内容】
【００１３】
（５）また、上記（１）乃至（４）のいずれかに記載のものにおいて、前記気体供給部に供給された気体を分散する充填物を充填したことを特徴とするものである。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な複数の分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記複数の分割発光手段は、それぞれ別の系統に分けられており、前記複数の分割発光手段ごとに発光制御可能とされ、
それぞれ別の系統に分けられる前記複数の周発光部のうち二以上の前記周発光部を同一基板上に設け、
前記複数の周発光部は、少なくとも発光手段を所定個数備える第１周発光部と、備えられている前記発光手段の個数が前記第１周発光部とは異なる第２周発光部と、を含み、
前記分割発光手段の周方向の長さよりも前記周発光部の周方向の長さを長く設定した
ことを特徴とする遊技機。
【手続補正２】
【補正対象書類名】明細書
【補正対象項目名】０００１
【補正方法】変更
【補正の内容】
【０００１】
本発明は、ぱちんこ遊技機（一般的に「パチンコ機」とも称する）や回胴式遊技機（一般的に「パチスロ機」とも称する）等の遊技機に関するものである。
【手続補正３】
【補正対象書類名】明細書
【補正対象項目名】０００２
【補正方法】変更
【補正の内容】
【０００２】
従来より、始動口に遊技球が入賞すると所定の確率で大当り抽選が行われ、この大当り抽選の結果は複数の図柄により表示手段に表示される遊技機としてのパチンコ機が提案されている（例えば、特許文献１）。この種の遊技機では、遊技領域の前面を閉鎖し開閉可能に支持された扉枠を備えて、扉枠に形成された遊技窓を介して遊技者側から遊技領域が視認できるようになっていると共に、遊技窓の前面外周にＬＥＤ等の発光手段によって発光装飾可能な装飾体が備えられている。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開２０１１−４５５９１号公報
【手続補正６】
【補正対象書類名】明細書
【補正対象項目名】０００５
【補正方法】変更
【補正の内容】
【０００５】
ところが、従来のパチンコ機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、興趣を低下させてしまう虞があった。
【手続補正７】
【補正対象書類名】明細書
【補正対象項目名】０００６
【補正方法】変更
【補正の内容】
【０００６】
本発明は、このような事情に鑑みてなされたものであり、その目的とするところは、興趣が低下するのを抑制することができる遊技機を提供することにある。
【手続補正８】
【補正対象書類名】明細書
【補正対象項目名】０００８
【補正方法】変更
【補正の内容】
【０００８】
前記目的を達成するために、本発明は、所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な複数の分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
前記複数の分割発光手段は、それぞれ別の系統に分けられており、前記複数の分割発光手段ごとに発光制御可能とされ、
それぞれ別の系統に分けられる前記複数の周発光部のうち二以上の前記周発光部を同一基板上に設け、
前記複数の周発光部は、少なくとも発光手段を所定個数備える第１周発光部と、備えられている前記発光手段の個数が前記第１周発光部とは異なる第２周発光部と、を含み、
前記分割発光手段の周方向の長さよりも前記周発光部の周方向の長さを長く設定したことを特徴とする。
また、本発明とは別の発明として以下の手段を例示する。
（解決手段１）
遊技の進行を制御する主制御基板と、該主制御基板からのコマンドに基づいて表示制御部を制御して演出表示装置に画面を表示することにより演出の進行を制御する演出制御基板と、を備える遊技機であって、前記演出制御基板は、少なくとも、前記演出表示装置に表示する画面の制御情報を受け入れることができる状態である旨を伝える受入許可信号が予め定めた周期ごとに前記表示制御部から入力され、該受入許可信号に基づいて定期割り込み制御を実行する受入許可信号定期割り込み制御実行制御手段と、該受入許可信号定期割り込み制御実行制御手段が前記定期割り込み制御を実行開始したことに基づいて前記予め定めた周期より小さい周期で割り込みタイマを起動してタイマ割り込み制御を実行するタイマ割り込み制御実行制御手段と、を備え、前記タイマ割り込み制御実行制御手段は、起動した前記予め定めた周期より小さい周期で前記タイマ割り込み制御を繰り返し実行している際に、前記受入許可信号定期割り込み制御実行制御手段が前記定期割り込み制御を実行開始する場合には、当該タイマ割り込み制御を強制的にキャンセルするとともに、当該受入許可信号定期割り込み制御実行制御手段が前記定期割り込み制御を実行開始したことに基づいて前記予め定めた周期より小さい周期で前記割り込みタイマを再び起動して前記タイマ割り込み制御を繰り返し実行することを特徴とする遊技機。
【手続補正９】
【補正対象書類名】明細書
【補正対象項目名】００１４
【補正方法】変更
【補正の内容】
【００１４】
本発明の遊技機においては、興趣が低下するのを抑制することができる。
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
機械、プラント、又は車両等の技術デバイス（２）の１以上の異なる動作状態の光学表示用の少なくとも１つの光要素（１０）を備える少なくとも１つの第１の交換可能光モジュール（３）を有する、光信号伝達デバイスであって、
前記第１の光モジュール（３）が、前記少なくとも１つの光要素（１０）及び電気コンポーネントを有する信号伝達デバイスの長手方向軸（８）の方向に配向される少なくとも第１の回路基板（１１）を備え、
前記第１の回路基板（１１）が、前記長手方向軸（８）の方向に配向される第１のフェイス側部（１９）、及び、前記第１のフェイス側部（１９）に対向して配置され、前記長手方向軸（８）の方向に配向される第２のフェイス側部（１９）を備え、
少なくとも１つのコンタクト（３２）が、少なくとも１つの第１の着脱可能に接触可能な電気コンタクト表面（１９）と、第２の光モジュール（３）として及び／又は信号伝達デバイスを動作ポジションで保持し接続するための保持モジュール（５）及び／又はベースモジュール（６）として構成される隣接配置モジュール（３，４，５，６，７）の第２の電気コンタクト表面（１８）との間に設けられ、
隣接配置モジュール（３，４，５，６，７）が、前記長手方向軸（８）の方向に配向される少なくとも１つの第２の回路基板を備える信号伝達デバイスにおいて、
互いに着脱可能に接触され得る、前記コンタクト（３２）の少なくとも前記２つの電気コンタクト表面（１８，１９）が、前記長手方向軸（８）の方向において前記第１の回路基板（１１）と前記第２の回路基板（１１）との間に配置されることを特徴とする信号伝達デバイス。
【請求項２】
請求項１記載の信号伝達デバイスであって、
前記コンタクト（３２）の前記コンタクト表面（１８，１９）は、前記長手方向軸（８）に対して垂直に配向されることを特徴とする信号伝達デバイス。
【請求項３】
請求項１又は請求項２に記載の信号伝達デバイスであって、
前記第２の回路基板（１１）は、前記長手方向軸（８）の方向に配向された第１のフェイス側部（１９）、及び、前記第１のフェイス側部（１９）に対向して配置され、前記長手方向軸（８）の方向に配向された第２のフェイス側部（１９）を備えること、及び、前記第１及び／又は第２の回路基板（１１）の前記第１及び／又は第２のフェイス側部（１９）は、前記コンタクト表面（１９）の一つとして少なくとも部分的に構成されることを特徴とする信号伝達デバイス。
【請求項４】
請求項１から請求項３のいずれか１項に記載の信号伝達デバイスであって、
少なくとも３つの第１及び／又は第２のコンタクト表面（１８，１９）が、前記第１及び／又は第２の回路基板（１１）のフェイス側部の少なくとも１つに沿って、及び／又は、前記長手方向軸（８）に対して横に配向された直線に沿って配置され、
前記回路基板（１１）及び／又は前記直線は、前記第１の光モジュール（３）及び／又は前記モジュール（３，４，５，６，７）の前記長手方向軸（８）の方向に配向された長手方向中心平面（２９）上に配置されることを特徴とする信号伝達デバイス。
【請求項５】
請求項１から請求項４のいずれか１項に記載の信号伝達デバイスであって、
前記第１の光モジュール（３）及び／又は前記隣接配置モジュール（３，４，５，６，７）は、前記回路基板（１１）に加えて、少なくとも１つのコンタクト要素（１４）を備え、前記少なくとも１つのコンタクト要素（１４）は、前記コンタクト（３２）の前記第２の電気コンタクト表面（１８）を備えることを特徴とする信号伝達デバイス。
【請求項６】
請求項５記載の信号伝達デバイスであって、
前記コンタクト要素（１４）は、前記長手方向軸（８）の方向を向く押圧力を生成するための、前記長手方向軸（８）の方向に少なくとも部分的に調整可能なコンタクトばね（１４）として構成されることを特徴とする信号伝達デバイス。
【請求項７】
請求項１から請求項６のいずれか１項に記載の信号伝達デバイスであって、
前記隣接配置モジュール（３，４，５，６，７）及び／又は前記第１の光モジュール（３）のハウジング要素（１３，２４）は、コンタクト要素（１４）及び／又は前記回路基板（１１）を固定するための固定ユニット（２５，２６，３０）として構成されることを特徴とする信号伝達デバイス。
【請求項８】
請求項４に記載の信号伝達デバイスであって、
前記第１及び／又は第２の光モジュール（３）、及び／又は、前記隣接配置モジュール（３，４，５，６，７）は、少なくとも３つのコンタクト（３２）、及び／又は、少なくとも３つの第１の及び／又は少なくとも３つの第２のコンタクト表面（１８）、及び／又は、少なくとも３つのコンタクト要素（１４）を有する少なくとも１つのコンタクトストリップを有し、前記コンタクトストリップは、前記長手方向軸（８）に対して横方向に配向される、及び／又は、前記長手方向中心平面（２９）内に／上に配置される、及び／又は、直線状に配向されることを特徴とする信号伝達デバイス。
【請求項９】
請求項８記載の信号伝達デバイスであって、
前記コンタクトストリップの少なくとも２つの個々のコンタクト（３２）及び／又は少なくとも２つの第２のコンタクト表面（１８）及び／又は少なくとも２つのコンタクト要素（１４）は、別々に、及び／又は、互いに独立して、前記長手方向軸（８）の方向に調整可能であることを特徴とする信号伝達デバイス。
【請求項１０】
請求項１から請求項９のいずれか１項に記載の信号伝達デバイス用の信号伝達モジュール（３，４）であって、
前記第１及び／又は第２の光モジュール（３）として、及び／又は、音響回路基板（１１）上に配置された音生成ユニットを有する音響モジュール（４）として構成されることを特徴とする信号伝達モジュール（３，４）。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
複数の発光器具それぞれの識別情報を用いて、前記複数の発光器具の点消灯を、ネットワークを介して制御する制御部を備え、
前記制御部は、前記複数の発光器具のうち、前記識別情報で特定される発光器具と同定されている発光器具と前記識別情報で特定される発光器具と同定されていない発光器具との点消灯が異なるように、前記複数の発光器具の点消灯を制御する
制御装置。
【請求項２】
時系列の撮像画像を得る撮像部と、
前記複数の発光器具の点消灯の制御内容と前記時系列の撮像画像とを用いて、前記発光器具の設置位置を特定し、前記設置位置で特定される発光器具と前記識別情報で特定される発光器具とを同定する同定部と、をさらに備える
請求項１に記載の制御装置。
【請求項３】
前記制御部は、点灯状態から消灯状態に変化するタイミングおよび消灯状態から点灯状態に変化するタイミングの少なくとも一方である変化タイミングが前記複数の発光器具それぞれで異なるように、前記複数の発光器具の点消灯を制御する
請求項１または２に記載の制御装置。
【請求項４】
前記制御部は、少なくとも２つの発光器具が同時に点灯するように、前記複数の発光器具の点消灯を制御する
請求項１から３のいずれか１項に記載の制御装置。
【請求項５】
前記複数の発光器具は、照明器具である
請求項１から４のいずれか１項に記載の制御装置。
【請求項６】
複数の発光器具それぞれの識別情報を用いて、前記複数の発光器具の点消灯を、ネットワークを介して制御する制御部を備え、
前記複数の発光器具のうち、前記識別情報で特定される発光器具と同定されている発光器具と前記識別情報で特定される発光器具と同定されていない発光器具とを区別可能なマッピング情報を出力する出力部と、
を備える制御装置。
【請求項７】
複数の発光器具それぞれの識別情報を用いて、前記複数の発光器具の点消灯を、ネットワークを介して制御する制御ステップを含み、
前記制御ステップは、前記複数の発光器具のうち、前記識別情報で特定される発光器具と同定されている発光器具と前記識別情報で特定される発光器具と同定されていない発光器具との点消灯が異なるように、前記複数の発光器具の点消灯を制御する
制御方法。
【請求項８】
複数の発光器具それぞれの識別情報を用いて、前記複数の発光器具の点消灯を、ネットワークを介して制御する制御ステップと、
前記複数の発光器具のうち、前記識別情報で特定される発光器具と同定されている発光器具と前記識別情報で特定される発光器具と同定されていない発光器具とを区別可能なマッピング情報を出力する出力ステップと、
を含む制御方法。
【手続補正２】
【補正対象書類名】明細書
【補正対象項目名】発明の名称
【補正方法】変更
【補正の内容】
【発明の名称】制御装置および制御方法
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
複数の設備にそれぞれ対応して設けられ、対応の前記設備についての計測を行い、計測結果を示す計測情報を含む無線信号を送信する複数の計測装置と、
前記計測装置による計測結果を取得し、取得した前記計測結果に基づいて、前記設備の稼働時間を算出する管理装置とを備える、設備監視システム。
【請求項２】
前記管理装置は、前記計測結果としきい値との大小関係に基づいて前記稼働時間を算出し、前記設備の非稼働時における前記計測結果に基づいて前記しきい値を更新する、請求項１に記載の設備監視システム。
【請求項３】
前記管理装置は、前記計測結果としきい値との大小関係に基づいて前記稼働時間を算出し、前記設備の非稼働時における前記計測結果および前記設備の稼働時における前記計測結果に基づいて前記しきい値を更新する、請求項２に記載の設備監視システム。
【請求項４】
前記管理装置は、前記計測結果に基づいて、前記設備の使用により得られる成果物の異常を判断する、請求項１から請求項３のいずれか１項に記載の設備監視システム。
【請求項５】
前記管理装置は、予め保持する参照用情報と前記計測結果とを比較することにより前記異常を判断する、請求項４に記載の設備監視システム。
【請求項６】
前記管理装置は、前記参照用情報の示す時間変化と前記計測結果の時間変化とを比較することにより前記異常を判断する、請求項５に記載の設備監視システム。
【請求項７】
複数の設備にそれぞれ対応して設けられ、対応の前記設備についての計測を行い、計測結果を示す計測情報を含む無線信号を送信する複数の計測装置による計測結果を取得する取得部と、
前記取得部によって取得された前記計測結果に基づいて、前記設備の稼働時間を算出する算出部とを備える、管理装置。
【請求項８】
管理装置において用いられる管理プログラムであって、
コンピュータを、
複数の設備にそれぞれ対応して設けられ、対応の前記設備についての計測を行い、計測結果を示す計測情報を含む無線信号を送信する複数の計測装置による計測結果を取得する取得部と、
前記取得部によって取得された前記計測結果に基づいて、前記設備の稼働時間を算出する算出部と、
として機能させるための、管理プログラム。